(57)【要約】【課題】異なった経路を経由して転送されてきた転送情報（ａ乃至ｃ）を共通のリソースを使用して転送できるか判断し、当該転送情報（ａ乃至ｃ）を転送先（６０ａ乃至６０ｃ）に転送することができる通信システム、中継転送サーバ及び通信方法を提供する。【解決手段】中継転送サーバ４０が、異なった経路を経由して転送されてきた複数の転送情報を受信する受信部４１と、当該複数の転送情報を共通のリソースを使用して通信回線網に送信できるか判断する判断部４２と、前記判断手段の判断結果に基づき、前記複数の転送情報を共通のリソースを使用して前記通信回線網に送信する転送部４３とを具備する。【選択図】      図１
2004235994.tif 000002
【特許請求の範囲】
【請求項１】
第一宛先アドレスと第二宛先アドレスと送信データとを少なくとも含む配信情報を端末から受信し、前記第一宛先アドレスと前記送信データとを含む第一送信情報を当該第一宛先アドレスに基づき送信し、前記第二宛先アドレスと前記送信データとを含む第二送信情報を当該第二宛先アドレスに基づき転送する送信情報転送サーバと、
前記第一送信情報を前記送信情報転送サーバから受信し、当該第一宛先アドレスに関連付けられている第一転送先アドレスと前記第一送信情報に含まれる前記送信データとを含む第一転送情報を、当該第一転送先アドレスに基づき転送する第一転送サーバと、
前記第二送信情報を前記送信情報転送サーバから受信し、当該第二宛先アドレスに関連付けられている第二転送先アドレスと前記第二送信情報に含まれる前記転送データとを含む第二転送情報を、当該第二転送先アドレスに基づき第二転送情報を転送する第二転送サーバと、
前記第一転送サーバから受信した前記第一転送情報及び前記第二転送サーバから受信した前記第二転送情報を、所定の場合に、共通のリソースを使用して通信回線網に転送する中継転送サーバとを具備することを特徴とする通信システム。
【請求項２】
前記第一転送情報及び前記第二転送情報には、当該第一転送情報及び当該第二転送情報にそれぞれ含まれる前記送信データを識別する識別子が含まれ、前記中継転送サーバは、前記識別子に基づき、前記第一転送情報及び前記第二転送情報を共通のリソースを使用して前記通信回線網に転送できるか判断することを特徴とする請求項１に記載の通信システム。
【請求項３】
前記第一転送先アドレス及び前記第二転送先アドレスが無線移動局のアドレスである場合に、前記中継転送サーバは、前記無線移動局の位置情報に基づき、前記第一転送情報及び前記第二転送情報を共通のリソースを使用して前記通信回線網に転送できるか判断することを特徴とする請求項１及び請求項２に記載の通信システム。
【請求項４】
異なった経路を経由して転送されてきた複数の転送情報を受信し、当該複数の転送情報を共通のリソースを使用して通信回線網に送信できるか判断する判断手段と、
前記判断手段の判断結果に基づき、前記複数の転送情報を共通のリソースを使用して前記通信回線網に送信する送信手段とを具備することを特徴とする中継転送サーバ。
【請求項５】
前記転送情報には、当該転送情報に含まれる送信データを識別する識別子が含まれ、前記判断手段は、当該識別子に基づき、前記転送情報を前記共通のリソースを使用して前記通信回線網に送信できるか判断することを特徴とする請求項４に記載の中継転送サーバ。
【請求項６】
前記転送情報が無線移動局に転送される場合に、前記判断手段は、前記無線移動局の位置情報に基づき、前記転送情報を前記共通のリソースを使用して通信回線網に送信できるか判断することを特徴とする請求項４及び請求項５に記載の中継転送サーバ。
【請求項７】
第一のサーバが、第一宛先アドレスと第二アドレスと送信データとを少なくとも含む配信情報を受信し、前記第一宛先アドレスと当該送信データとを含む第一送信情報を当該第一宛先アドレスに基づき転送し、前記第二宛先アドレスと前記送信データとを含む第二送信情報を当該第二宛先アドレスに基づき転送するステップＡと、
第二のサーバが、前記第一送信情報を前記第一のサーバから受信し、前記第一アドレスに関連付けられている第一転送先アドレスと前記第一送信情報に含まれる前記送信データとを含む第一転送情報を、当該第一転送先アドレスに基づき転送するステップＢと、
第三のサーバが、前記第二送信情報を前記第一のサーバから受信し、前記第二アドレスに関連付けられている第二転送先アドレスと前記第二送信情報に含まれる前記送信データとを含む第二転送情報を、当該第二転送先アドレスに基づき転送するステップＣと、
第四のサーバが、所定の場合に、前記第二のサーバから受信した前記第一転送情報及び前記第三のサーバから受信した前記第二転送情報を共通のリソースを使用して通信回線網に転送するステップＤとを具備することを特徴とする通信方法。
【請求項８】
前記第一転送情報及び前記第二転送情報には、当該第一転送情報及び当該第二転送情報にそれぞれ含まれる前記送信データを識別する識別子が含まれ、ステップＤにおいて、前記第四のサーバが、当該識別子に基づき、前記第一転送情報及び前記第二転送情報を共通のリソースを使用して前記通信回線網に転送できるか判断することを特徴とする請求項７に記載の通信方法。
【請求項９】
前記第一転送先アドレス及び前記第二転送先アドレスが無線移動局のアドレスである場合に、前記ステップＤにおいて、前記第四のサーバが、前記無線移動局の位置情報に基づき、前記第一転送情報及び前記第二転送情報を共通のリソースを使用して転送できるか判断することを特徴とする請求項７及び請求項８に記載の通信方法。
【発明の詳細な説明】
【０００１】
【発明の属する技術分野】
本発明は、異なった経路を経由して転送されてきた複数の転送情報を、共通のリソースを利用して送信することができる通信システム、中継転送サーバ及び通信方法に関する。
【０００２】
【従来の技術】
従来、共通のリソースを使用して同一の情報を複数の宛先に送信する技術としては、ブロードキャスト（Ｂｒｏａｄｃａｓｔ）やマルチキャスト（Ｍｕｌｔｉｃａｓｔ）などの技術があった。
【０００３】
ブロードキャストとは、図４に示すように、１つ又は複数の基地局がそのエリア内に位置するすべての移動局（１０１乃至１１２）に同一の情報を一斉に送信する技術であり（例えば、非特許文献１）、マルチキャストとは、図５に示すように、１つ又は複数の基地局がそのエリア内に位置する特定グループの移動局（１０１、１０３、１０５、１０６、１０８、１０９、１１０）に同一の情報を送信する技術である（例えば、非特許文献２）。
【０００４】
また、従来、複数のユーザー宛に送信された複数の送信情報が転送サーバにより転送され、転送された複数の転送情報が共通の中継転送サーバを経由して転送先に転送される場合に、当該中継転送サーバは、ユーザー数分のリソース（回線など）を使用して複数の転送情報を転送先に転送していた。
【０００５】
図６を参照しながら具体例を示すと、送信情報転送サーバ２０は、宛先アドレスａと宛先アドレスｂと宛先アドレスｃと送信データとを含む配信情報を端末１０から受信し、宛先アドレスａと送信データとを含む送信情報ａを転送サーバ３０ａに転送し、宛先アドレスｂと送信データとを含む送信情報ｂを転送サーバ３０ｂに転送し、宛先アドレスｃと送信データとを含む送信情報ｃを転送サーバ３０ｃに転送する。
【０００６】
転送サーバ３０ａは、送信情報転送サーバ２０から送信情報ａを受信し、宛先アドレスａに予め設定されている転送先アドレスＡと送信データとを含む転送情報ａを当該転送先アドレスＡに基づき転送する。
【０００７】
また、転送サーバ３０ｂは、送信情報転送サーバ２０から送信情報ｂを受信し、宛先アドレスｂに予め設定されている転送先アドレスＢと送信データとを含む転送情報ｂを当該転送先アドレスＢに基づき転送する。
【０００８】
さらに、転送サーバ３０ｃは、送信情報転送サーバ２０から送信情報ｃを受信し、宛先アドレスｃに予め設定されている転送先アドレスＣと送信データとを含む転送情報ｃを当該転送先アドレスＣに基づき転送する。なお、転送先アドレス（Ａ乃至Ｃ）は、それぞれ転送先（６０ａ乃至６０ｃ）のアドレスである。
【０００９】
転送情報（ａ乃至ｃ）を受信した中継転送サーバ７０は、転送情報（ａ乃至ｃ）ごとに異なる３つのリソース（回線など）を使用して、通信回線網５０上のノード（ルータ、基地局など）に転送情報（ａ乃至ｃ）を転送する。そして、通信回線網５０上の各ノードは、転送情報（ａ乃至ｃ）を転送先（６０ａ乃至６０ｃ）に転送する。
【００１０】
【非特許文献１】
３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｔｅｒｍｉｎａｌｓ  著，  ２３．０４１  Ｔｅｃｈｎｉｃａｌ  ｒｅａｌｉｚａｔｉｏｎ  ｏｆ  Ｃｅｌｌ  Ｂｒｏａｄｃａｓｔ  Ｓｅｒｖｉｃｅ  （ＣＢＳ），２０００年１０月
【００１１】
【非特許文献２】
３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ  著，  ２５．３２４  Ｂｒｏａｄｃａｓｔ／Ｍｕｌｔｉｃａｓｔ  Ｃｏｎｔｒｏｌ  ＢＭＣ，  ２０００年１２月
【００１２】
【発明が解決しようとする課題】
しかしながら、上述の中継転送サーバは、異なった経路を経由して転送されてきた複数の転送情報を共通のリソースを使用して転送できる場合であっても、複数の転送情報ごとに異なるリソースを使用して通信回線網上のノートに当該複数の転送情報を転送するため、リソースが効率的に使用されないという問題があった。
【００１３】
そこで本発明は、上述の問題を解決すべくなされたものであり、転送情報に含まれる送信データの識別子に基づき、異なった経路を経由して転送されてきた転送情報を共通のリソースを使用して転送できるか判断することができる通信システム、中継転送サーバ及び通信方法を提供することを目的とする。
【００１４】
また、本発明は、転送先が無線移動局である場合には、当該無線移動局の位置情報に基づき、異なった経路を経由して転送されてきた転送情報を共通のリソースを使用して転送できるか判断することができる通信システム、中継転送サーバ及び通信方法を提供することを目的とする。
【００１５】
【課題を解決するための手段】
本発明の第１の特徴は、第一宛先アドレスと第二宛先アドレスと送信データとを少なくとも含む配信情報を端末から受信し、前記第一宛先アドレスと前記送信データとを含む第一送信情報を当該第一宛先アドレスに基づき送信し、前記第二宛先アドレスと前記送信データとを含む第二送信情報を当該第二宛先アドレスに基づき転送する送信情報転送サーバと、前記第一送信情報を前記送信情報転送サーバから受信し、当該第一宛先アドレスに関連付けられている第一転送先アドレスと前記第一送信情報に含まれる前記送信データとを含む第一転送情報を、当該第一転送先アドレスに基づき転送する第一転送サーバと、前記第二送信情報を前記送信情報転送サーバから受信し、当該第二宛先アドレスに関連付けられている第二転送先アドレスと前記第二送信情報に含まれる前記送信データとを含む第二転送情報を、当該第二転送先アドレスに基づき第二転送情報を転送する第二転送サーバと、前記第一転送サーバから受信した前記第一転送情報及び前記第二転送サーバから受信した前記第二転送情報を、所定の場合に、共通のリソースを使用して通信回線網に転送する中継転送サーバとを具備することを要旨とする。
【００１６】
かかる発明によれば、中継転送サーバが、異なった経路を経由して転送されてきた第一転送情報及び第二転送情報を共通のリソースを使用して通信回線網に送信するため、通信システムは、回線などのリソースを効率的に使用することができる。
【００１７】
本発明の第２の特徴は、本発明の第１の特徴において、前記第一転送情報及び前記第二転送情報には、当該第一転送情報及び当該第二転送情報にそれぞれ含まれる前記送信データを識別する識別子が含まれ、前記中継転送サーバは、前記識別子に基づき、前記第一転送情報及び前記第二転送情報を共通のリソースを使用して前記通信回線網に転送できるか判断することを要旨とする。
【００１８】
かかる発明によれば、中継転送サーバは、送信データに含まれる識別子に基づき、第一転送情報及び第二転送情報に含まれる送信データが同一であるか確認できるため、当該第一転送情報及び当該第二転送情報を共通のリソースを使用して前記通信回線網に転送できるか容易に判断できる。
【００１９】
本発明の第３の特徴は、本発明の第１及び第２の特徴において、前記第一転送先アドレス及び前記第二転送先アドレスが無線移動局のアドレスである場合に、前記中継転送サーバは、前記無線移動局の位置情報に基づき、前記第一転送情報及び前記第二転送情報を共通のリソースを使用して前記通信回線網に転送できるか判断することを要旨とする。
【００２０】
かかる発明によれば、転送先が無線移動局である場合には、中継転送サーバは、無線移動局の位置情報に基づき、第一転送情報及び第二転送情報を共通のリソースを使用して前記通信回線網に転送できるか判断するため、当該第一転送情報及び当該第二転送情報をマルチキャストなどの技術を用いて転送でき、無線リソースを効率的に使用できる。
【００２１】
本発明の第４の特徴は、中継転送サーバが、異なった経路を経由して転送されてきた複数の転送情報を受信し、当該複数の転送情報を共通のリソースを使用して通信回線網に送信できるか判断する判断手段と、前記判断手段の判断結果に基づき、前記複数の転送情報を共通のリソースを使用して前記通信回線網に送信する送信手段とを具備することを要旨とする。
【００２２】
本発明の第５の特徴は、本発明の第４の特徴において、前記転送情報には、当該転送情報に含まれる送信データを識別する識別子が含まれ、前記判断手段は、当該識別子に基づき、前記転送情報を前記共通のリソースを使用して前記通信回線網に送信できるか判断することを要旨とする。
【００２３】
本発明の第６の特徴は、本発明の第４及び第５の特徴において、前記転送情報が無線移動局に転送される場合に、前記判断手段は、前記無線移動局の位置情報に基づき、前記転送情報を前記共通のリソースを使用して通信回線網に送信できるか判断することを要旨とする。
【００２４】
本発明の第７の特徴は、第一のサーバが、第一宛先アドレスと第二アドレスと送信データとを少なくとも含む配信情報を受信し、前記第一宛先アドレスと当該送信データとを含む第一送信情報を当該第一宛先アドレスに基づき転送し、前記第二宛先アドレスと前記送信データとを含む第二送信情報を当該第二宛先アドレスに基づき転送するステップＡと、第二のサーバが、前記第一送信情報を前記第一のサーバから受信し、前記第一アドレスに関連付けられている第一転送先アドレスと前記第一送信情報に含まれる前記送信データとを含む第一転送情報を、当該第一転送先アドレスに基づき転送するステップＢと、第三のサーバが、前記第二送信情報を前記第一のサーバから受信し、前記第二アドレスに関連付けられている第二転送先アドレスと前記第二送信情報に含まれる前記送信データとを含む第二転送情報を、当該第二転送先アドレスに基づき転送するステップＣと、第四のサーバが、所定の場合に、前記第二のサーバから受信した前記第一転送情報及び前記第三のサーバから受信した前記第二転送情報を共通のリソースを使用して通信回線網に転送するステップＤとを具備することを要旨とする。
【００２５】
本発明の第８の特徴は、本発明の第７の特徴において、前記第一転送情報及び前記第二転送情報には、当該第一転送情報及び当該第二転送情報にそれぞれ含まれる前記送信データを識別する識別子が含まれ、ステップＤにおいて、前記第四のサーバが、当該識別子に基づき、前記第一転送情報及び前記第二転送情報を共通のリソースを使用して前記通信回線網に転送できるか判断することを要旨とする。
【００２６】
本発明の第９の特徴は、本発明の第７及び第８の特徴において、前記第一転送先アドレス及び前記第二転送先アドレスが無線移動局のアドレスである場合に、前記ステップＤにおいて、前記第四のサーバが、前記無線移動局の位置情報に基づき、前記第一転送情報及び前記第二転送情報を共通のリソースを使用して転送できるか判断することを要旨とする。
【００２７】
【発明の実施の形態】
（通信システム及び中継転送サーバの構成）
本発明の実施形態の１例を図面に基づき説明する。まずは、本実施形態における通信システム及び中継転送サーバの構成を図１及び図２に基づき説明する。図１は、本実施形態における通信システムの構成を示す図である。図１に示すように、本実施形態における通信システムは、端末１０と、送信情報転送サーバ２０と、複数の転送サーバ（３０ａ乃至３０ｃ）と、中継転送サーバ４０と、通信回線網５０、複数の転送先（６０ａ乃至６０ｃ）とにより構成される。
【００２８】
端末１０は、複数の宛先アドレスと送信データとを含む配信情報（複数の宛先を指定した電子メールなど）を送信するものである。ここで、送信データには、当該送信データを識別する識別子（例えば、メッセージＩＤ）が含まれている。
【００２９】
具体的には、端末１０は、宛先アドレスａ（例えば、Ｕａ＠ｘｘｘ．３０ａ．ｘｘｘ）と宛先アドレスｂ（例えば、Ｕｂ＠ｘｘｘ．３０ｂ．ｘｘｘ）と宛先アドレスｃ（例えば、Ｕｃ＠ｘｘｘ．３０ｃ．ｘｘｘ）と送信データとを含む配信情報を送信情報転送サーバ２０に送信する。
【００３０】
なお、本実施形態においては、３つの宛先アドレス（ａ乃至ｃ）が配信情報に含まれている場合について説明するが、配信情報に含まれる宛先アドレスは３つに限られず、複数の宛先アドレスが配信情報に含まれていればよい。
【００３１】
送信情報転送サーバ２０は、配信情報を端末１０から受信し、宛先アドレスａと送信データとを含む送信情報ａを当該宛先アドレスａに基づき転送し、宛先アドレスｂと送信データとを含む送信情報ｂを当該宛先アドレスｂに基づき転送し、宛先アドレスｃと送信データとを含む送信情報ｃを当該宛先アドレスｃに基づき転送するものである。
【００３２】
転送サーバ３０ａは、送信情報転送サーバ２０から送信情報ａを受信し、宛先アドレスａに関連付けられている転送先アドレスＡと送信データとを含む転送情報ａを当該転送先アドレスＡに基づき転送する第一転送サーバ（第二のサーバ）である。転送サーバ３０ｂは、送信情報転送サーバ２０から送信情報ｂを受信し、宛先アドレスｂに関連付けられている転送先アドレスＢと送信データとを含む転送情報ｂを転送先アドレスＢに基づき転送する第二転送サーバ（第三のサーバ）である。転送サーバ３０ｃは、送信情報転送サーバ２０から送信情報ｃを受信し、宛先アドレスｃに関連付けられている転送先アドレスＣと送信データとを含む転送情報ｃを転送先アドレスＣに基づき転送する。
【００３３】
中継転送サーバ４０は、転送サーバ３０ａから受信した転送情報ａと転送サーバ３０ｂから受信した転送情報ｂと転送サーバ３０ｃから受信した転送情報ｃとを、共通のリソースを使用して通信回線網５０上のノード（ルータ、基地局など）に転送するものである。
【００３４】
具体的には、中継転送サーバ４０は、図２に示すように、受信部４１と、判断部４２と、転送部４３とを具備する。
【００３５】
受信部４１は、転送サーバ（３０ａ乃至３０ｃ）から転送情報（ａ乃至ｃ）を受信するものである。
【００３６】
判断部４２は、送信データを識別する識別子及び転送先アドレス（Ａ乃至Ｃ）などに基づき、転送情報（ａ乃至ｃ）を共通のリソースを使用して通信回線網５０上のノードに転送できるか判断するものである。
【００３７】
具体的には、判断部４２は、転送情報（ａ乃至ｃ）に含まれる送信データの識別子が同一であることを確認すると、それぞれの転送情報（ａ乃至ｃ）が転送先（６０ａ乃至６０ｃ）に転送される際に、通信回線網５０上のどのノードまで共通のノードを経由して当該転送情報（ａ乃至ｃ）が転送されるかを、転送先アドレス（Ａ乃至Ｃ）に基づき検出する。また、判断部４２は、検出されたノード（以下、検出ノード）に対して、転送情報（ａ乃至ｃ）を共通のリソースを使用して転送できると判断する。
【００３８】
また、転送先アドレス（Ａ乃至Ｃ）が無線移動局のアドレスである場合には、判断部４２は、無線移動局の位置情報に基づき、転送情報（ａ乃至ｃ）を共通のリソースを使用して通信回線網５０上のノードに転送できるか判断する。
【００３９】
具体的には、判断部４２は、無線移動局の位置情報を通信回線網５０上のノード（無線制御装置、基地局など）から収集し、無線移動局に転送情報（ａ乃至ｃ）が転送される際に、通信回線網５０上のどのノードまで共通のノードを経由するかを、収集した位置情報に基づき検出する。また、判断部４２は、検出された検出ノードに対して、転送情報（ａ乃至ｃ）を共通のリソースを使用して転送できると判断する。
【００４０】
ここで、本実施形態における受信部４１及び判断部４２は、判断手段を構成する。
【００４１】
転送部４３は、判断部４２の判断結果に基づき、転送情報（ａ乃至ｃ）を共通のリソースを使用して通信回線網５０上のノードに転送する転送手段である。
【００４２】
具体的には、転送部４３は、転送サーバ（３０ａ乃至３０ｃ）から受信した転送情報（ａ乃至ｃ）に基づき、転送先アドレスＡと転送先アドレスＢと転送先アドレスＣと送信データとを含む結合情報Ｘを生成し、判断部４２により検出された検出ノードに、生成された結合情報Ｘを転送する。なお、結合情報Ｘとは、複数の宛先が指定された電子メールなどである。
【００４３】
なお、転送先（６０ａ乃至６０ｃ）が無線移動局であり、共通の基地局の配下にある場合を例に、中継転送サーバ４０について具体的に説明すると、中継転送サーバ４０は、無線移動局の位置情報に基づき当該基地局（検出ノード）を検出し、転送情報（ａ乃至ｃ）を当該基地局に転送する。ここで、中継転送サーバ４０は、転送先（６０ａ乃至６０ｃ）により構成されるグループを形成し、マルチキャストなどの技術を用いて転送情報（ａ乃至ｃ）を転送してもよい。
【００４４】
通信回線網５０は、ルータ、交換機、無線制御装置、基地局などのノードにより構成されており、中継転送サーバ４０が転送した転送情報（ａ乃至ｃ）は、各ノードを経由して転送先（６０ａ乃至６０ｃ）に転送される。また、転送先（６０ａ乃至６０ｃ）は、転送先アドレス（Ａ乃至Ｃ）により特定されるパーソナルコンピュータや無線移動局などの端末である。
【００４５】
なお、受信部４１及び判断部４２及び転送部４３は、通信回線網５０上のノード（無線制御装置、基地局、交換機、ルータなど）に具備されていてもよい。
【００４６】
（通信システム及び中継転送サーバの動作）
次に、本実施形態における通信システム及び中継転送サーバの動作を図３に基づき説明する。図３は、本実施形態における通信システム及び中継転送サーバの動作を示すシーケンス図である。
【００４７】
ステップ１０において、端末１０は、宛先アドレスａと宛先アドレスｂと宛先アドレスｃと送信データとを含む配信情報を送信情報転送サーバ２０に送信する。
【００４８】
ステップ２０ａにおいて、送信情報転送サーバ２０は、端末１０から受信した配信情報に基づき、宛先アドレスａと送信データとを含む送信情報ａを転送サーバ３０ａに転送する。また、ステップ２０ｂにおいて、送信情報転送サーバ２０は、端末１０から受信した配信情報に基づき、宛先アドレスｂと送信データとを含む送信情報ｂを転送サーバ３０ｂに転送する。さらに、ステップ２０ｃにおいて、送信情報転送サーバ２０は、端末１０から受信した配信情報に基づき、宛先アドレスｃと送信データとを含む送信情報ｃを転送サーバ３０ｃに転送する。なお、送信情報（ａ乃至ｃ）に含まれる送信データは同一の情報であり、送信データには、当該送信データを識別する識別子が含まれている。
【００４９】
ステップ３０ａにおいて、転送サーバ３０ａは、送信情報転送サーバ２０から送信情報ａを受信し、宛先アドレスａに関連付けられている転送先アドレスＡと送信データとを含む転送情報ａを中継転送サーバ４０に転送する。ステップ３０ｂにおいて、転送サーバ３０ｂは、送信情報転送サーバ２０から送信情報ｂ受信し、宛先アドレスｂに関連付けられている転送先アドレスＢと送信データとを含む転送情報ｂを中継転送サーバ４０に転送する。ステップ３０ｃにおいて、転送サーバ３０ｃは、送信情報転送サーバ２０から送信情報ｃを受信し、宛先アドレスｃに関連付けられている転送先アドレスＣと送信データとを含む転送情報ｃを中継転送サーバ４０に転送する。
【００５０】
ステップ４０において、中継転送サーバ４０は、転送サーバ（３０ａ乃至３０ｃ）から受信した転送情報（ａ乃至ｃ）を共通のリソースを使用して通信回線網５０上のノードに転送できるか判断する。
【００５１】
具体的には、中継転送サーバ４０は、転送サーバ（３０ａ乃至３０ｃ）から転送情報（ａ乃至ｃ）を受信し、転送情報（ａ乃至ｃ）に含まれる送信データの識別子が同一であるか確認する。また、中継転送サーバ４０は、識別子が同一であることを確認すると、転送先アドレス（Ａ乃至Ｃ）に基づき上述の検出ノードを検出する。さらに、中継転送サーバ４０は、検出された検出ノードに対して、転送情報（ａ乃至ｃ）を共通のリソースを使用して転送できると判断する。
【００５２】
また、転送先（６０ａ乃至６０ｃ）が無線移動局である場合には、中継転送サーバ４０は、無線移動局の位置情報に基づき、転送情報（ａ乃至ｃ）を共通のリソースを使用して転送できると判断する。
【００５３】
具体的には、中継転送サーバ４０は、無線移動局の位置情報を通信回線網５０上のノードから収集し、収集した位置情報に基づき検出のードを検出し、検出された検出ノードに対して、転送情報（ａ乃至ｃ）を共通のリソースを使用して転送できると判断する。
【００５４】
ステップ５０において、中継転送サーバ４０は、ステップ４０における判断結果に基づき、転送サーバ（３０ａ乃至３０ｃ）から受信した転送情報（ａ乃至ｃ）を共通のリソースを使用して転送する。
【００５５】
具体的には、中継転送サーバ４０は、転送サーバ（３０ａ乃至３０ｃ）から受信した転送情報（ａ乃至ｃ）に基づき結合情報Ｘを生成し、生成された結合情報Ｘを検出ノードに転送する。
【００５６】
ステップ６０ａにおいて、通信回線網５０上の検出ノードは、受信した結合情報Ｘに含まれる転送先アドレスＡと転送先アドレスＢと転送先アドレスＣとに基づき、転送情報ａを生成し、生成された転送情報ａを転送先６０ａに転送する。
【００５７】
ステップ６０ｂにおいて、検出ノードは、受信した結合情報Ｘに基づき、転送情報ｂを生成し、生成された転送情報ｂを転送先６０ｂに転送する。
【００５８】
ステップ６０ｃにおいて、検出ノードは、受信した結合情報Ｘに基づき、転送情報ｃを生成し、生成された転送情報ｃを転送先６０ｃに転送する。
【００５９】
（通信システム及び中継転送サーバの作用及び効果）
本実施形態における通信システムによれば、中継転送サーバ４０が、転送情報（ａ乃至ｃ）の転送先アドレス（Ａ乃至Ｃ）（転送情報（ａ乃至ｃ）が無線移動局である場合には、当該無線移動局の位置情報）に基づき検出ノードを検出し、送信データの識別子などに基づき結合情報Ｘを生成するため、当該中継転送サーバ４０は、通信回線網５０上の検出ノードに転送情報（ａ乃至ｃ）を共通のリソース（回線など）を使用して転送できる。
【００６０】
【発明の効果】
以上説明したように本発明によれば、異なった経路を経由して転送されてきた転送情報（ａ乃至ｃ）を共通のリソースを使用して転送できるか判断し、当該転送情報（ａ乃至ｃ）を転送先（６０ａ乃至６０ｃ）に転送することができる通信システム、中継転送サーバ及び通信方法を提供することができる。
【図面の簡単な説明】
【図１】本発明の一実施形態に係る通信システムの構成図である。
【図２】本発明の一実施形態に係る中継転送サーバのブロック図である。
【図３】本発明の一実施形態に係る通信システムの動作を示すシーケンス図である。
【図４】従来技術に係るブロードキャスト通信を説明するための図である。
【図５】従来技術に係るマルチキャスト通信を説明するための図である。
【図６】従来技術に係る通信システムを説明するための図である。
【符号の説明】
１０・・・端末、２０・・・送信情報転送サーバ、３０ａ〜３０ｃ・・・転送サーバ、４０・・・中継転送サーバ、４１・・・受信部、４２・・・判断部、４３・・・転送部、５０・・・通信回線網、６０ａ〜６０ｃ・・・転送先、７０・・・中継転送サーバ
【図１】
2004235994.tif 000003
【図２】
2004235994.tif 000004
【図３】
2004235994.tif 000005
【図４】
2004235994.tif 000006
【図５】
2004235994.tif 000007
【図６】
2004235994.tif 000008